(57)【要約】制御部と、シガレット製造機、包装機、フィルム包装機、ボックスパッカーおよびカートンパッカー等の調節可能な本体をえる製造ユニットとを備える製造および包装ユニットと、第１の製品、すなわちシガレットおよび第１のタイプのシガレットパック、およびその後の第２のタイプの製品であって、各々が、切断した紙、フィルム等の出発素材からなる製品の速やかな製造包装と、該制御部自体と、該ラインの制御のための方法。第１のタイプの製品に関連するパラメータの組と、第２のタイプの製品に関連するパラメータの第２の組とのうちの少なくとも一方は、選択可能な制御部のメモリに格納され、パラメータの組の選択時に、該調節可能なボディまたは各調節可能なボディのための組パラメータは、制御部によって該製造ユニットまたは各製造ユニットへ転送することができる。
2005518998.tif 000002
【特許請求の範囲】
【請求項１】
制御装置（３３）と、それぞれ、特に、製造のための、（シガレット）製造機（メーカー)(１０）、パッキング機（パッカー)(１１）、あるいはフィルム包装機（１２）、あるいはマルチパッカー（１３）、あるいはカートンパッカー（カートナー)(１４）等の調節可能なメカニズムを有する製造ユニットとを有する製造および包装設備、すなわちラインであって、特に、各々が出発素材、特に、紙または厚紙ブランク、フィルム等のブランク（３７、３８）を備える、まず第一に、第１のタイプの製品、すなわち、シガレットおよびシガレットパックおよびその後の第２のタイプの製品をすぐに製造包装できる製造および包装設備において、少なくとも、前記第１のタイプの製品と関連付けられたパラメータの第１の組（６１）と、前記第２のタイプの製品と関連付けられたパラメータの第２の組（６２）とが、選択可能な方法で前記制御装置（３３）のメモリに格納されており、パラメータの組（６１、６２）の選択時に、前記調節可能なメカニズムまたは各調節可能なメカニズムを調節する処理変数を、選択したパラメータとして、前記制御装置（３３）によって前記製造ユニットまたは各製造ユニットへ送ることができる製造および包装設備。
【請求項２】
制御装置（３３）と、それぞれ、特に、製造のための、（シガレット）製造機（メーカー)(１０）、パッキング機（パッカー)(１１）、あるいはフィルム包装機（１２）、あるいはマルチパッカー（１３）、あるいはカートンパッカー（カートナー)(１４）等の調節可能なメカニズムを有する製造ユニットとを有する製造および包装設備、すなわちラインであって、特に、各々が出発素材、特に、紙または厚紙ブランク、フィルム等のブランク（３７、３８）を備える、まず第一に、第１のタイプの製品、すなわち、シガレットおよびシガレットパックおよびその後の第２のタイプの製品をすぐに製造包装できる製造および包装設備において、少なくとも、前記第１のタイプの製品と関連付けられたパラメータの第１の組（６１）と、前記第２のタイプの製品と関連付けられ、各必要な出発素材のためのコード（６４）を備えるパラメータの第２の組（６２）とが、選択可能な方法で前記制御装置（３３）のメモリに格納されており、
材料コードを、前記製造ユニットまたは各製造ユニットにある出発素材に対して決めることができ、かつ、
パラメータの組（６１、６２）の選択時に、前記製造ユニットまたは各製造ユニットにある出発素材の材料コードを、選択されたパラメータの組（６２）からの対応するコード（６４）と比較することができるか、あるいは、
前記製造ユニットまたは各製造ユニットで使用できる前記出発素材が、読み取り可能な材料コードを備え、かつ、
パラメータの組（６１、６２）の選択時に、前記製造ユニットまたは各製造ユニットが、選択されたパラメータの組（６２）からのコード（６４）によって使用可能な出発素材を送給することができる、製造および包装設備。
【請求項３】
決定されている少なくとも１つの材料コードが、前記選択されたパラメータの組（６２）からの対応するコード（６４）に対応していない場合に、エラー信号を生成することができる、請求項２に記載の製造および包装設備。
【請求項４】
前記パラメータの各組（６１、６２）は、多数の必要な出発素材と、前記必要な出発素材または各必要な出発素材に対する少なくとも１つのコード（６５）とを含む、請求項１、２または３に記載の製造および包装設備。
【請求項５】
制御装置（３３）と、それぞれ、特に、製造のための、（シガレット）製造機械（メーカー)(１０）、パッキング機械（パッカー)(１１）、あるいはフィルム包装機（１２）、あるいはマルチパッカー（１３）、あるいはカートンパッカー（カートナー)(１４）等の調節可能なメカニズムを有する製造ユニットとを有する製造および包装設備、すなわちラインであって、特に、各々が出発素材、特に、紙または厚紙ブランク、フィルム等のブランク（３７、３８）を備える、まず第一に、第１のタイプの製品、すなわち、シガレットおよびシガレットパックおよびその後の第２のタイプの製品をすぐに製造包装できる製造および包装設備において、少なくとも、前記第１のタイプの製品と関連付けられたパラメータの第１の組（６１）と、前記第２のタイプの製品と関連付けられたパラメータの第２の組（６２）とが、選択可能な方法で前記制御装置（３３）のメモリに格納されており、パラメータの各組（６１、６２）が、多数の必要な出発素材を含み、出発素材を連結する少なくとも１つの製品のタイプに関連するパラメータの組（７４）が前記メモリに格納されており、パラメータの組（６１、６２）の選択時に、前記調節可能なメカニズムまたは各調節可能なメカニズムを調節する処理変数を、選択したパラメータとしておよび／または製品のタイプに関連するパラメータの組（７４）として、前記制御装置（３３）によって前記製造ユニットまたは各製造ユニットへ送ることができる製造および包装設備。
【請求項６】
前記製品のタイプに関連するパラメータの組（７４）は、出発素材間の予め決められたまたは予め決めることができるリンクと、各リンクに対して、調節可能なメカニズムを調節する少なくとも１つの処理変数とを備える、請求項５に記載の製造および包装設備。
【請求項７】
前記パラメータの各組（６１、６２）および前記製品のタイプに関連するパラメータの組（７４）は、各出発素材のためのコード（６５）を備え、前記処理変数は、コード（６５）によって送られる、請求項６に記載の製造および包装設備。
【請求項８】
前記出発素材は、素材コードを備え、前記出発素材が、素材ウエブとして、リールコア（４５）を有するリール（２５）に供給されたときに、この素材コードは、特に、書き替え可能なトランスポンダ（４６）に格納される、請求項１〜７のいずれか一項に記載の製造および包装設備。
【請求項９】
前記トランスポンダ（４６）は、前記リールコア（４５）の上または中に配置され、前記リール（２５）の回転軸と平行に静止状態で適切な方向に向けられている読み出し部（４７）と情報を交換する、請求項８に記載の製造および包装設備。
【請求項１０】
前記トランスポンダ（４６）は、前記リールコア（４５）上または前記素材ウエブの一端部のいずれかに配置され、前記リール（２５）の回転軸と直角に静止状態で適切な方向に向けられている読み出し部（４７）と情報を交換する、請求項８に記載の製造および包装設備。
【請求項１１】
各製造ユニットは、その都度、それぞれ送給された出発素材の１つの素材コードをピックアップする手段、特に、前記トランスポンダ（４６）および前記関連する読み出し部（４７）を有し、素材コードと一致する、前記パラメータの組（６１、６２）からのコード（６５）の決定時に、このコード（６５）または素材コードと関連付けられている、前記調節可能なメカニズムまたは各調節可能なメカニズムを調節する処理変数を、前記制御装置（３３）によって各製造ユニットへ転送することができる、請求項１〜１０のいずれか１項に記載の製造および包装設備。
【請求項１２】
素材コードを備える前記必要な出発素材または各必要な出発素材は、コード（６５）と素材コードとの比較を考慮して、各製造ユニットへ送給することができ、このコード（６５）または素材コードと関連付けられている、前記調節可能なメカニズムまたは各調節可能なメカニズムを調節するための処理変数は、前記制御装置（３３）によって各製造ユニットへ転送することができる、請求項１〜１１のいずれか１項に記載の製造および包装設備。
【請求項１３】
前記制御装置（３２）は、特に、フィールドバス（３４）を介して、前記製造ユニットまたは各製造ユニットに通信可能に接続されている、請求項１〜１２のいずれか１項に記載の製造および包装設備。
【請求項１４】
個々の出発素材間の依存性を考慮する、少なくとも１つの製品タイプに関連するパラメータの組が、各製品タイプに対して設けられており、別の出発素材に依存する出発素材と関連付けられている処理変数の代わりに、対応する製品タイプに関連するパラメータの組と関連付けられている処理変数を、各製造ユニットへ転送することができる、請求項１〜１３のいずれか１項に記載の製造および包装設備。
【請求項１５】
基準位置に対する、前記調節可能なメカニズムの相対位置を変更することが可能である、請求項１〜１４のいずれか１項、あるいは後の請求項のいずれか１項に記載の製造および包装設備。
【請求項１６】
前記調節可能なメカニズムのうちの少なくとも１つは、ブランク、特にラベル（５３）のための回転カムプレート（５７）を有するラベル装置であり、該カムプレートの回転は、各製造ユニットの少なくとも１つの他の移動可能なまたは移動する構成要素に結合されており、該調節は、前記カムプレート（５７）と前記他の構成要素または各他の構成要素との間の回転オフセットに関連する、請求項１〜１５のいずれか１項、あるいは後の請求項のいずれか１項に記載の製造および包装設備。
【請求項１７】
少なくとも１つの前記調節可能なメカニズムは、特に、前記梱包機械（パッカー)(１１）の折り曲げ機であり、該調節は、折り曲げ順序または折り曲げ圧力に関連し、あるいは、少なくとも１つの前記調節可能なメカニズムは、特に、フィルム包装機（１２）の加熱および／または押圧メカニズムであり、該調節は、前記メカニズムの温度および／または該メカニズムによってそらすことができる圧力に関する、請求項１〜１６のいずれか１項、あるいは後の請求項のいずれか１項に記載の製造および包装設備。
【請求項１８】
少なくとも１つの前記調節可能なメカニズムは、カメラ、特にＣＣＤカメラ（５４）等の光センサであり、または、光障壁（５０）等の光センサを備え、該調節は、前記センサの応答反応に影響を及ぼす、請求項１〜１７のいずれか１項、あるいは後の請求項のいずれか１項に記載の製造および包装設備。
【請求項１９】
前記調節可能なメカニズムまたは各調節可能なメカニズムの調節の前に、前記製造ユニットまたは各製造ユニットおよび／または前記調節可能なメカニズムまたは各調節可能なメカニズムの今までの有効設定値を、後の可能な再使用のために蓄積することができる、請求項１〜１８のいずれか１項、あるいは後の請求項のいずれか１項に記載の製造および包装設備。
【請求項２０】
それぞれ、特に、製造のための、（シガレット）製造機（メーカー)(１０）、パッキング機（パッカー)(１１）、あるいはフィルム包装機（１２）、あるいはマルチパッカー（１３）、あるいはカートンパッカー（カートナー)(１４）等の調節可能なメカニズムを有する製造ユニットを有する製造および包装設備、すなわちラインと、特に、各々が出発素材、特に、紙または厚紙ブランク、フィルム等のブランク（３７、３８）を備える、まず第一に、第１のタイプの製品、すなわち、シガレットおよびシガレットパックおよびその後の第２のタイプの製品の速やかな製造包装とを制御する方法であって、前記第１のタイプの製品から前記第２のタイプの製品に切り替えるために、関連するパラメータの組（６１、６２）が選択され、前記製造ユニットまたは各製造ユニットの前記調節可能なメカニズムまたは各製造ユニットの調節が、選択されたパラメータ（６２）によって行われる方法。
【請求項２１】
それぞれ、特に、製造のための、（シガレット）製造機（メーカー)(１０）、パッキング機（パッカー)(１１）、あるいはフィルム包装機（１２）、あるいはマルチパッカー（１３）、あるいはカートンパッカー（カートナー)(１４）等の調節可能なメカニズムを有する製造ユニットを有する製造および包装設備、すなわちラインと、特に、各々が出発素材、特に、紙または厚紙ブランク、フィルム等のブランク（３７、３８）を備える、まず第一に、第１のタイプの製品、すなわち、シガレットおよびシガレットパックおよびその後の第２のタイプの製品の速やかな製造包装とを制御する方法であって、前記第１のタイプの製品から前記第２のタイプの製品に切り替えるために、各必要な出発素材のためのコード（６４）を備える関連するパラメータの組（６１、６２）が選択され、かつ、
素材コードは、前記製造ユニットまたは各製造ユニットにある出発素材に対して決められ、かつ、
前記製造ユニットまたは各製造ユニットにある出発素材の素材コードは、選択されたパラメータの組（６２）からの対応するコード（６４）と比較されるか、あるいは、
パラメータの組（６１、６２）の選択時に、前記製造ユニットまたは各製造ユニットには、選択されたパラメータの組（６２）からのコード（６４）によって、および前記出発素材の読み出し可能な素材コードによって、使用可能な出発素材が送給される方法。
【請求項２２】
少なくとも１つの素材コードが、前記選択されたパラメータの組（６２）からの対応するコード（６４）に対応していない場合に、エラー信号が生成される、請求項２１に記載の方法。
【請求項２３】
前記パラメータの各組（６１、６２）は、多数の必要な出発素材と、各必要な出発素材のための少なくとも１つのコード（６５）とを含み、各製造ユニットは、各それぞれ送給された出発素材の１つの素材コードをその都度ピックアップし、素材コードに一致する、前記パラメータの組（６１、６２）のコード（６５）の決定時に、コード（６５）または素材コードと関連付けられている、前記調節可能なメカニズムまたは各調節可能なメカニズムを調節するための処理変数が、前記各製造ユニットへ転送される、請求項２０、２１または２２に記載の方法。
【請求項２４】
それぞれ、特に、製造のための、（シガレット）製造機（メーカー)(１０）、パッキング機（パッカー)(１１）、あるいはフィルム包装機（１２）、あるいはマルチパッカー（１３）、あるいはカートンパッカー（カートナー)(１４）等の調節可能なメカニズムを有する製造ユニットを有する製造および包装設備、すなわちラインと、特に、各々が出発素材、特に、紙または厚紙ブランク、フィルム等のブランク（３７、３８）を備える、まず第一に、第１のタイプの製品、すなわち、シガレットおよびシガレットパックおよびその後の第２のタイプの製品の速やかな製造包装とを制御する方法であって、前記第１のタイプの製品から前記第２のタイプの製品に切り替えるために、多数の必要な出発素材を含む関連するパラメータの組（６１、６２）が選択され、パラメータの組（６１、６２）の選択時に、前記調節可能なメカニズムまたは各調節可能なメカニズムを調節する処理変数が、選択したパラメータとしておよび製品タイプに関連するパラメータの組（７４）として、制御装置（３３）によって前記製造ユニットまたは各製造ユニットへ転送され、該処理変数は、出発素材と、各リンクに対する、調節可能なメカニズムを調節する少なくとも１つの処理変数との間の所定のリンクを備える方法。
【請求項２５】
前記パラメータの各組（６１、６２）および前記製品タイプに関連するパラメータの組（７４）は、各出発素材のためのコード（６５）を含み、前記処理変数は、前記コード（６５）によって転送される、請求項２４に記載の方法。
【請求項２６】
前記パラメータの各組（６１、６２）は、多数の必要な出発素材と、各必要な出発素材のための少なくとも１つのコード（６５）とを含み、素材コードを備える前記必要な出発素材または各必要な出発素材は、コード（６５）と素材コードとの比較を考慮して、各製造ユニットへ送給され、前記コード（６５）または素材コードと関連付けられている、前記調節可能なメカニズムまたは各調節可能なメカニズムを調節する処理変数が、各製造ユニットへ転送される、請求項２０〜２５のいずれか１項に記載の方法。
【請求項２７】
前記処理変数は、前記パラメータの組（６１、６２）からの前記素材コードまたはコード（６５）によってアクセスされるデータベース（６６）から得られる、請求項２０〜２６のいずれか１項に記載の方法。
【請求項２８】
エラー信号は、少なくとも１つの素材コードに対して、一致するコード（６５）が、前記選択されたパラメータの組（６２）に見つからない場合に生成される、請求項２０〜２７のいずれか１項に記載の方法。
【請求項２９】
エラー信号は、前記必要な出発素材または各出発素材を、少なくとも１つの製造ユニットへ送給できない場合に生成される、請求項２０〜２８のいずれか１項に記載の方法。
【請求項３０】
前記第２のタイプの製品の製造および包装は、各素材コードに対して、一致するコード（６５）が、選択されたパラメータの組に見つからない場合に開始され、前記調節可能なメカニズムまたは各調節可能なメカニズムの調節は、各関連する処理変数によって行われる、請求項２０〜２９のいずれか１項に記載の方法。
【請求項３１】
個々の出発素材間の依存性を考慮する少なくとも１つの製品タイプに関連するパラメータの組が、各製品タイプに対して設けられ、別の出発素材に依存する出発素材と関連付けられている各処理変数は、前既製品タイプに関連するパラメータの組の対応するパラメータと関連付けられている処理変数と置換される、請求項２０〜３０のいずれか１項に記載の方法。
【請求項３２】
前記メカニズムまたは各メカニズムの調節の前に、前記製造ユニットまたは各製造ユニットおよび／または前記調節可能なメカニズムまたは各調節可能なメカニズムのそれまでの有効設定値が蓄積される、請求項２０〜３１のいずれか１項に記載の方法。
【請求項３３】
メモリ（６６）と少なくとも１つの通信インタフェースとを有する、請求項２０〜３２のいずれか１項または複数の項に記載の方法を実施する制御装置であって、前記第１のタイプの製品と関連付けられたパラメータの第１の組（６１）と、前記第２のタイプの製品と関連付けられたパラメータの第２の組（６２）とが、選択可能な方法で前記メモリ（６６）に格納され、パラメータの組（６１、６２）の選択時に、処理変数を、前記調節可能なメカニズムまたは各調節可能なメカニズムの調節のために、前記通信インタフェースを介して前記製造ユニットまたは各製造ユニットへ転送することができる制御装置。
【請求項３４】
通信ライン、特に、フィールドバスライン（３４）が、前記通信インタフェースまたは各通信インタフェースに接続されており、少なくとも１つの製造ユニットが、このラインに接続されている、請求項３３に記載の制御装置。
【発明の詳細な説明】
【技術分野】
【０００１】
本発明は、それぞれ、特に、製造のための、（シガレット）製造機（メーカー）、包装機（パッカー）、あるいはフィルム包装機、あるいはマルチパッカー、あるいはカートンパッカー（カートナー）等の調節可能なメカニズムを有する製造ユニットを有する製造および包装設備、すなわちラインであって、特に、各々が出発素材、特に、紙または厚紙ブランク、フィルム等のブランクを備える、まず第一に、第１のタイプの製品、すなわち、シガレットおよびシガレットパックおよびその後の第２のタイプの製品をすぐに発送梱包できる製造および包装設備を制御する方法に関する。
【０００２】
また本発明は、上記方法を実施する制御装置に関する。そして、本発明は、制御装置と、それぞれ、製造のために、上述したような調節可能なメカニズムを有する製造ユニットとを有する製造および包装設備、すなわちラインであって、特に、各々が出発素材、特に、紙または厚紙ブランク、フィルム等のブランクを備える、まず第一に、第１のタイプの製品、すなわち、シガレットおよびシガレットパックおよびその後の第２のタイプの製品をすぐに製造包装できる製造および包装設備に関する。
【背景技術】
【０００３】
【特許文献１】ドイツ特許第１９９１４２９７号明細書
【発明の開示】
【発明が解決しようとする課題】
【０００４】
本発明の目的は、製造および包装設備およびそのような設備を制御する方法を改善することである。
【課題を解決するための手段】
【０００５】
上記目的は、制御装置と、それぞれ、特に、製造のための、（シガレット）製造機（メーカー）、包装機（パッカー）、あるいはフィルム包装機、あるいはマルチパッカー、あるいはカートンパッカー（カートナー）等の調節可能なメカニズムを有する製造ユニットとを有する製造および包装設備、すなわちラインであって、特に、各々が出発素材、特に、紙または厚紙ブランク、フィルム等のブランクを備える、まず第一に、第１のタイプの製品、すなわち、シガレットおよびシガレットパックおよびその後の第２のタイプの製品をすぐに製造包装できる製造および包装設備、以後簡単に“ライン”と呼ぶ、であって、少なくとも、上記第１のタイプの製品と関連付けられたパラメータの第１の組と、上記第２のタイプの製品と関連付けられたパラメータの第２の組とが、選択可能な方法で上記制御装置のメモリに格納されており、パラメータの組の選択時に、上記調節可能なメカニズムまたは各調節可能なメカニズムを調節する処理変数を、選択したパラメータとして、上記制御装置によって上記製造ユニットまたは各製造ユニットへ送ることができる製造および包装設備によって実現される。処理変数によって影響を及ぼすことができる機能ユニットの構成要素は、調節可能なメカニズムと呼ぶ。位置を説明する処理変数によってその相対的位置に関して影響を及ぼすことができる構成要素、例えば所望温度によって影響を及ぼすことができるヒータ、あるいは、応答閾値を規定する閾値によって影響を及ぼすことができる光センサは、同様に調節可能なメカニズムである。
【０００６】
上記目的は、請求項２または５に記載した特徴を有する製造および包装設備によって同様に実現される。さらに、上記目的は、請求項２０、２１または２４に記載した特徴を有する対応する方法により、および該方法または各方法を実施するのに適し、請求項３３の特徴を有する制御装置によって実現される。
【０００７】
本発明は、第１のタイプの製品から第２のタイプの製品への切り替え中に、一方において、高コストの調節を、個々の製品ユニットまたは全ての製品ユニットに対して実行しなければならず、適切な出発材料を供給しなければならず、あるいは、現在ある出発素材を、上記第２のタイプの製品の使用に対する適合性のためにチェックしなければならないため、不必要に長い時間が経過し、他方において、上記切り替え後に、結局、操作者が、上記ラインの稼働中に、製造すべき製品に対して、全ての製造ユニットを正しく調節するまでに、不適当な製造がかなりの程度発生するという所見に基づいている。従って、パラメータの組が、各製品に対して与えられる。第１のタイプの製品から第２のタイプの製品への切り替えに対して、パラメータの対応する組が、例えばスクリーンおよびキーボード等の入力および出力機能を有する操作ステーションにおいて選択される。選択されたパラメータによって、上記製造ユニットまたは各製造ユニットの上記調節可能なメカニズムまたは各調節可能なメカニズムの適切な調節、および／または出発素材のチェックまたは供給が自動的に行われる。
【０００８】
本発明の効果は、この調節および／または出発素材のチェックまたは供給の後に、製造および、特に、上記第２のタイプの製品の製造包装の準備を直ちに始めることができ、その結果、休止期間が低減される。さらに、上記個々の製造ユニットは、上記第２のタイプの製品に対して最適に調節され、その結果、いかなる不適当な製造も防止される。上記ラインの、上記方法のおよび上記制御装置の適切な展開は、各従属請求項の内容を構成する。
【０００９】
本発明の好適な具体例としての実施の形態を、添付図面を参照して以下に詳細に説明する。
【発明を実施するための最良の形態】
【００１０】
図に示す例示的な実施の形態は、シガレット用製造および包装設備、すなわち、いわゆるラインに関する。このラインは、製造ユニット、すなわち、例えばシガレット製造機、すなわちメーカー１０と、その後ろに続く包装機械、すなわちパッカー１１と、後ろのフィルム包装機１２と、複数のシガレットパック４８からマルチパックを製造する包装機械、すなわちマルチパッカー１３と、マルチパック、すなわちシガレットマルチパックを輸送カートンに包装するカートナー１４とを備える。メーカー１０によって製造されたシガレットは、関連するシガレット貯蔵部１６を有するシガレットコンベヤ１５によってパッカー１１、例えばヒンジ蓋ボックスを製造するヒンジ蓋パッカーへ送給される。パッカー１１にはブランク貯蔵部１７、すなわち、上記ヒンジ蓋ボックスのために予め形成されたブランクの比較的大量の供給を収容する装置が割り当てられ、該ブランク貯蔵部は、ブランクスタックをパッカー１１に供給する移送メカニズムを有する。パッカー１１によって製造された（シガレット）パック４８は、パックコンベヤ１８を介してフィルム包装機１２へ送られる。該フィルム包装機は、シガレットパック４８を外装フィルムまたはプラスチックブランクで包むという処理を有する。出来上がったシガレットパック４８は、パック群を形成するのに用いられ、該パック群は、マルチパッカー１３の領域内のマルチパックラッパーに供給されて、通常１０個のシガレットパック４８からなるシガレットマルチパックを形成する。これらのシガレットマルチパックは、マルチパックコンベヤ１９によってカートナー１４へ送られる。該カートナーは、複数のシガレットマルチパックを有する出来上がった輸送カートン２０を、取り出しコンベヤ２１へ移送する。パッカー１１とフィルム包装機１２との間のパックコンベヤ１８の領域には、比較的大量の（包装なしの）シガレットパック４８を収容するパック貯蔵部２２が配設されている。
【００１１】
上述した製造ユニットには、材料を供給しなければならない。メーカー１０には、十分な量のタバコ、および巻回したウエブの形のシガレット紙、すなわちリールを供給しなければならない。さらに、同様に、メーカー１０には、製造したシガレットをフィルタ取り付け機２３の領域内の適切な材料に供給することができるように、リールの形態で巻回されたフィルタ取り付け紙を供給しなければならない。その他の製造ユニットにも同様に、巻回したウエブ上の、すなわち、リールの形態のパッケージング材料を供給しなければならない。このことは、ヒンジ蓋ボックスタイプのシガレットパック４８において一般的であるカラーの製造、および内側ラッパー、シガレット群のいわゆる内側ライナー、およびフィルムまたはセロファンからなる外装にも適用される。中央貯蔵エリア２４は、全ての材料に対して設けられており、異なる材料のリール２５は、例えばこの貯蔵エリア内のパレット上に貯蔵される。適当な搬送装置、例えば共通素材コンベヤ２６は、必要なリール素材を送給するために、貯蔵エリア２４と個々の製造ユニットとの間の移送経路に沿って配置することができる。図示した実施例の場合、貯蔵エリア２４は、フィルタ取り付け紙２８、カラー素材２９、内側連続素材３０、フィルム素材３１およびシガレット紙３２が、それぞれの場合において、関連する製造ユニットに対して有利な位置に正確にあるように、素材コンベヤ２６によって受け取られるために、移送経路２７の領域内に配置される。
【００１２】
シガレットの製造からシガレットマルチパックが充填された出来上がった輸送カートン２０間でのシーケンスは、制御装置３３の制御の下で行われ、該制御装置は、各製造ユニット、具体的には、例えばバス、具体的にはフィールドバス３４またはローカルネットワーク、具体的にはＰＣネットワークを介して該製造ユニットまたは各製造ユニットにローカルに割り当てられた各機械制御部３５に通信可能に接続されている。制御装置３３は、フィールドバス３４を介して、各場合において、各製造ユニットとデータを交換し、また、プロセスにおいて、例えば処理変数を各製造ユニットへ転送し、あるいは、製造関連データを受け取る。制御装置３３は、例えばプロセスコンピュータまたはプログラマブルコントローラの中央処理ユニットである。シガレットの製造および包装中に使用される全ての材料に対するコードは、制御装置３３のメモリ（図示せず）内に適切なデータ構造で格納されている。各場合における材料の少なくとも１つの製造ユニットへの配給は、同様に、該コードによってこのメモリに格納されている。
【００１３】
図２は、パッカー１１の図を示す（図１のＩＩの部分参照）。パッカー１１は、折り曲げおよび接着結合により、紙または厚紙ブランク等のブランク３７、３８を処理してシガレットボックスにする。また、パッカー１１は、リール２５に供給された出発素材、例えば紙または厚紙ウエブを処理する。シガレットボックスを製造するための（薄い）厚紙で形成された第１および第２のブランク３７、３８を図３に示す。各ブランクは、切断縁部（太線）および折り曲げ縁部（細線）によって特徴付けられている。接着エリア３９は、折り曲げたブランク３７、３８を固定するために、およびいわゆる内側またはフィルムブロック、例えば包装されたまたは覆われたシガレットブロックおよびカラーを固定するために設けられている。全ての接着エリアは、接着パターンと呼ばれる。シガレットのタイプにより、該シガレットを収容するために異なるシガレットボックスを使用することが可能である。該シガレットボックスは、基本的なブランク３７、３８のタイプに関して、および各場合において施される上記接着パターンに関して異なっている。第１および第２のブランク３７、３８は、それぞれ長い蓋の内側タブ４０および短い蓋の内側タブ４１に関して、およびそれぞれの蓋の内側タブ４０、４１の領域における接着パターンに関して異なっている。
【００１４】
各ブランク３７、３８を折り曲げるために、パッカー１１（図１）は、具体的には図示していない調節可能なメカニズム、例えばそれ自体知られており、かつ処理すべきブランク３７、３８に依存して適切な方法で調節される折り曲げメカニズムを有する。また、パッカー１１は、同様に、それ自体知られており、かつ接着エリア３９を各ブランク３７、３８に施すことを意図している接着ノズル（具体的には図示せず）を有する。それは、上記接着ノズルまたは各接着ノズルが調節可能な場合であり、該調節は、例えば所定の接着エリア３９を実現するために、個々の接着ノズル間の相対運動にあり、またはマトリックス状に組み合わされた多数の接着ノズルの中の個々の接着ノズルを作動させるまたは作動させない際にある。図４は、リール２５の線ＩＶに沿った断面図およびパッカー１１のハウジングの一部を示す。リール２５は、スピンドル４２によって回転可能に設けられ、かつ中央スタブ４４を有するプレート４３上に配置されている。リール２５は、その内部に、各出発素材がその周りに巻回されるリールコア４５を収容している。その中に格納された素材コードによって各出発素材を識別するトランスポンダ４６は、リール２５上に設けられている。トランスポンダ４６は、読み出し部４７と情報を交換する。トランスポンダ４６は、例えばリールコア４５の脚上または脚内に配置され、かつリール２５の回転軸と平行に、パッカー１１のハウジング上に固定状態で適切に配置されている読み出し部４７と情報を交換する。別法として、トランスポンダ４６は、リールコア４５上または素材ウエブの一端部のいずれかに配置され、リール２５の回転軸と直角に、スタブ４４の内部に固定状態で適切に配置されている読み出し部４７と情報を交換する。リールコア４５上に配置された各トランスポンダ４６は、好ましくは、書き替え可能なトランスポンダ４６として設計される。そして、使用中のリール２５の場合、まだ残っている素材の量について、トランスポンダ４６に格納することが可能であり、その結果、上記素材コードが読み出された際、例えば残っている素材を用いて、どれくらいのシガレットボックスをまだ製造するまたは梱包することができるかを判断することも可能である。該素材を、一旦、使い切ると、新たな素材コードおよび関連する量情報を、上記トランスポンダに格納することができる。該素材に対して生成された、あるいはリール２５に関して生成されたトランスポンダ４６のデータは、各素材メーカーの詳細を示してもよく、その結果、個々の製造ユニットに影響を及ぼすおよび／または調節可能なメカニズムを調節するための一定の情報および制御信号を該データから得ることができる。これは、異なる製造会社からの素材は、異なる物理的特性を有する場合があるためである。例えばシガレットパック４８の外装フィルムは、例えば密封メカニズムの密封温度を適応させる必要がある異なる特性を有する。
【００１５】
図５は、出発素材を、各場合においてリール２５に送給する状態のフィルム包装機１２（図１のＶの部分参照）の図を示す。フィルム包装機１２の中央領域（ＶＩの部分）を図６に示す。
【００１６】
フィルム包装機１２は、シガレットパック４８をフィルムで包み、この目的のために、該包装機は、フィルムウエブ（セロファンウエブ４９）および、適切な場合、引き裂き開放スレッドを処理する。フィルム包装機１２を通るシガレットパック４８の本質的に水平な移送経路を、対応する矢印で図に示す。包装フィルム６４（図９）は、セロファンウエブ４９として、フィルム包装機１２の種々のローラを介してガイドされる。またこの場合、セロファンウエブ４９は、光障壁５０として設計された光センサを通ってガイドされる。光障壁５０は、セロファンウエブ４９上に形成されたプリントマークを検知するために機能する。したがって、光障壁５０は、調節可能なメカニズムでもある。該調節は、例えば各場合において供給された信号に対する閾値の条件、あるいは、時間部（機械角）の変化にあり、その信号は、光障壁５０によって評価され、またはセロファンウエブ４９上の所定の位置をチェックするために、光障壁５０それ自体の相対運動において評価される。フィルムで包装されたシガレットパック４８は、第１ヒータ５１および第２ヒータ５２に沿ってガイドされ、第１ヒータ５１は、シガレットボックス４８を封入するフィルムの長手方向の継ぎ目をシールするために設けられており、また第２ヒータ５２は、蓋およびフィルム包装の基部をシールするために設けられている。各ヒータ５１、５２は、シールメカニズムの構成部分であり、該ヒータは、密封すべき素材を温度および圧力にさらす。以後、短くしてシールメカニズムと呼ぶヒータ５１、５１または該シールメカニズムは、同様に、調節可能なメカニズムである。該調節は、例えば該ヒータに対する所望温度の条件にあり、かつ、適切な場合、圧力の条件にある。さらに、シールメカニズムの場合、該調節は、例えばシールすべき素材端部上のヒータを中心に位置させるための相対運動を含んでもよい。
【００１７】
フィルム包装機１２のメカニズム、ラベル装置は、ラベル５３、例えば収入印紙を有するシガレットパック４８を生成する。ラベル５３の存在および位置をチェックするために、ＣＣＤカメラ５４が、別の調節可能なメカニズムとして設けられている。ＣＣＤカメラ５４の調節は、例えば比較的高い平均輝度を有するラベルから比較的低い平均輝度のラベル５３を識別するために、例えば閾値または限界値の条件に本質的にある。さらに、まっすぐな光学的構造、例えば縁部を検知するのに適しているＣＣＤカメラ５４においては、調節のために、予測される縁部のタイプ、数および位置に関するデータを、異なる縁部パターンを有するラベルから第１の縁部パターンを有するラベル５３を識別するのを可能にするために転送することが可能である。そして、調節のために、シガレットパック４８上のラベル５３の予想される位置に関するデータ、あるいは、ラベル５３の灰色の構成要素、コントラストまたはパターン等の外見または外見の特徴に関する別のデータを、ＣＣＤカメラ５４へ転送することが可能である。また、ここでは、それぞれ異なるラベル５３を表わす多数の異なるイメージ、および各検知されたラベル５３との比較のための多数の異なるイメージを、ＣＣＤカメラ５４へ転送することが可能である。それに伴って、正しいラベル５３から間違って配置されたラベル５３、または該ラベルの不在を識別することが可能である。ラベル５３の正しい位置は、製造されるシガレットパック４８により変化してもよい。
【００１８】
図７は、フィルム包装機１２の詳細（部分ＶＩＩ参照）としてのラベル装置を示し、該ラベル装置は、ラベル貯蔵部５５と、サーボモータ５６によって駆動され、かつラベル５３を移動させて該ラベルをその都度シガレットパック４８上に配置させるようになっているカムプレート５７と、シガレットパック４８がフィルム包装機１２を通って移送されてきたときに、該シガレットパック上に該配置されたラベル５３を固着する押圧ディスク５８とを有する。上にシガレットパック４８が載せられる移送ベルト５９は、シガレットパック４８を上記ラベル装置を通して移送するために設けられている。シガレットパック４８は、連行部材６０を等距離に配置することにより、移送ベルト５９上の（水平方向に向けられた矢印によって示す）移送方向に固定される。以後短くしてラベル装置と呼ぶ、上記ラベル装置または該ラベル装置の少なくともカムプレート５７と、駆動サーボモータ５６とは、同様に調節可能なメカニズムである。調節されている上記ラベル装置によって、例えばラベル５３を平坦に、または角部をわたって配置するラベル装置を構成することが可能である。図８は、左側に、平坦に配置されたラベル５３を有するシガレットパック４８と、右側に、シガレットパック４８の少なくとも１つの角部をわたっているラベル５３を有するシガレットパック４８とを示す。
【００１９】
図７は、連続する太線を用いて角部をわたって配置されるラベル５３と、破線を用いた平坦に配置されるラベル５３とを示す。カムプレート５７は、その都度、１つのラベル５３を該カムまたは各カム上に移送する。カムプレート５７の回転運動およびシガレットパック４８をその上に載せた状態での移送ベルト５９の直進運動は、例えば電気シャフトによって互いに調整される。該調整は、シガレットパック４８がカムプレート５７の下の適切な位置に位置しているときはいつでも、ラベル５３を有する該カムも、ラベル５３をシガレットパック４８上に配置するための位置に位置していることを保障する。カムプレート５７のカムは、ラベル５３を角部をわたって配置するための位置が連続する線で示され、また、ラベル５３を平坦に配置するための位置が破線で示されている。カムプレート５７の回転軸を通って垂直に書かれ、かつ該カムを通って中央に書かれている仮想線の場合、ラベル５３を平坦に配置するためのその位置において該カムを通過する第１のそのような線と、ラベル５３を角部をわたって配置するためのその位置において該カムを通過する第２のそのような線との間には、ある角度が形成され、この角度は、２つのカムの位置の回転オフセットを示す。従って、上記ラベル装置の調節は、本質的に、カムプレート５７の下に位置するシガレットパック４８に対する該カムの各位置の条件にある。カムプレート５７の回転は、移送ベルト５９の動きに結合される。すなわち、上記ラベル装置の調節は、カムプレート５７および案内するまたはひきずる移送ベルト５９という意味で回転オフセットに関連している。該調節は、カムプレート５７の基準位置に対する相対的回転の条件によって行ってもよく、この場合、それぞれ適切な回転オフセットは、ラベルを平坦におよび角部をわたって配置する上記ラベル装置の調節のために考慮される。上記基準位置は、例えばラベルを平坦に配置するための位置に対応させてもよく、その結果、ラベルを平坦に配置する調節の場合、該基準値が再生成され、またラベルを角部をわたって配置するための調節の場合、適切な回転オフセットが考慮される。
【００２０】
そして、上記ラベル装置を調節する第３の可能性は、移送ベルト５９を簡単に減速または加速させることにあり、その結果、シガレットパック４８は、ラベル５３を定位置に配置するためにシガレットパック４８の上に位置しているカムプレート５７のカムの下のそれぞれ必要な位置に配置される。
【００２１】
図９ａおよび９ｂは、パラメータの第１の組６１および第２の組６２を示し、かつパラメータの組６１、６２の選択時の個々の製造ユニットの調節可能なメカニズムに対する影響を示す。パラメータの組６１、６２に含まれるデータ、該パラメータを、対応する絵柄によって示す。パラメータの第１の組６１および第２の組６２は、適切な場合、パラメータの別の組（図示せず）と共に、例えば制御装置３３（図１）の記憶領域に格納される。パラメータの各組６１、６２は、製品、例えばシガレットパック４８を示す。パラメータの第１の組６１は、第１のタイプのシガレットパック４８を示し、すなわち第１のタイプの製品または製品の一部を示す。それに応じてパラメータの第２の組６２は、第２のタイプのシガレットパック４８を示し、すなわち、第２のタイプの製品または製品の一部を示す。パラメータの各組６１、６２は、各製品を製造するのに必要な出発素材に関連するデータを含む。それに伴って、パラメータの第１の組６１は、第１のブランク３７に関連するデータを含み、パラメータの第２の組６２は、第２のブランク３８に関連するデータを含む。また、パラメータの各組６１、６２は、フィルム包装機１１（図６）において、フィルムウエブ４９（図６）としてガイドされる包装フィルム６４に関連するデータを含む。図示した出発素材に加えて、パラメータの各組６１、６２は、別の必要な出発素材に関連するデータを含んでもよい。シガレットパック４８は、図に示したように、シガレットボックスを形成するためのそれぞれ異なるブランク３７、３８、およびそれぞれ異なる包装フィルム６４のため形状および形態が異なっている。パラメータの各組６１、６２は、上記必要な出発素材または各必要な出発素材に対する少なくとも一つのコード６５を含み、該コードは、例えば第１の製造会社からの紙または厚紙ブランク等の第１のブランク３７と、第２の製造会社からの基本的に同じ第１のブランク３７とを識別する。各コード６５は、適格な出発素材を識別する。
【００２２】
図９ａにおいて、パラメータの各組６１、６２は、４つのカラム６９、７０、７１、７２を有する表またはマトリックス状構造の形で示されている。第１のカラム６９は、タイトルのようなパラメータの組６１、６２に対するいわば表題を構成する。パラメータの組６１、６２がアクセスされた場合、この第１のカラム６９に関連付けられている情報、あるいは、随伴するパラメータの組６１、６２全体を、例えばデータの組６１、６２の選択のために、オペレータに対して、スクリーン等のディスプレイ上にグラフィックまたはテキスト形式で表示することが可能である。第２のカラム７０は、必要な出発素材を含む。上記メモリにおける第２のカラム７０の同等物は、例えば一定数のフィールド要素を有するフィールド、各必要な出発素材のために設けられている専用フィールド要素である。ブランク３７、３８を有する第１の要素、包装フィルム６４を有する第２の要素および、適切な場合、さらなる要素（図示せず）を有するカラム７０の各要素は、そのようなフィールド要素に相当する。該要素を、パラメータの各組６１、６２に割り当てられる所望数の必要な出発素材に対して可能にするためには、上記メモリにおける第２のカラム７０の同等物は、ダイナミックデータ構造、例えば一方側または両側で連結されているリストであってもよい。そのようなリストは、必要な出発素材の数と調整されている多数のリフト要素を含み、カラム７０の各要素は、そのようなリスト要素に相当する。フィールドとリスト、およびフィールド要素とリスト要素との基本的な等価のため、該フィールドとリスト、およびフィールド要素とリスト要素は、以後、短くしてフィールドおよびフィールド要素と呼ぶ。第３のカラム７１は、各必要な出発素材に対する多数のコード６５を含み、各コード６５は、適格な出発素材を識別する。図９によれば、パラメータの第１および第２の組６１、６２において、各ブランク３７、３８には、２つのコード６５が割り当てられ、各包装フィルム６４には、３つのコード６５が割り当てられる。ブランク３７または各ブランク３７に対する２つのコード６５、および各包装フィルム６４に対する３つのコード６５は、上記メモリのそれぞれ専用フィールドにファイルされ、各コード６５は、フィールド要素に相当する。第４のカラム７２は、各コード６５に対して、コード６５により識別される各適格な出発素材に関連するデータを含む。これらのデータは、調節可能なメカニズムを調節するための処理変数を含んでもよい。該処理変数がパラメータの組６１、６２に格納されていない場合、該処理変数は、独立したデータベース６６内にある。そうでない場合、それらのデータは、例えば厚さまたは重量等の、各適格な出発素材の性質に関連する情報を含む。すなわち、階層構造は、全て上記メモリ内に実現される。第１のフィールドは、多数のフィールド要素を含み、各フィールド要素は、パラメータの組６１、６２に相当する。パラメータの各組６１、６２は、多数のフィールド要素を有する第２のフィールドを備え、各フィールド要素は、必要な出発素材に相当する。これらのフィールド要素の各々は、多数のフィールド要素を有する第３のフィールドを含み、各フィールド要素は、適格な出発素材を識別するためのコード６５を備える。これらのフィールド要素の各々には、各出発素材に関連するデータが割り当てられる。
【００２３】
上記第１のタイプの製品から上記第２のタイプの製品への切り替えは、例えば前に選択されたパラメータの第１の組６１の代わりに選択されているパラメータの第２の組６２によって行われる。（適切であるものとして選択されまたは決定されるデータは、破線の矢印によって識別される非選択のまたは適切でないデータと対照的に、濃い矢印または塗り込まれた矢印の先端部によって識別される。）この選択は、オペレータにより、例えば入力および出力ユニット、例えば制御装置３３（図１）のキーボードやスクリーンによってなされる。このような製品の切り替えの後に、上記各製造ユニットにある出発素材の素材コードがチェックされる。このことは、上記出発素材または各出発素材にそれぞれ割り当てられている素材コードを読み出すことによって実行することができる。このため、具体的には、トランスポンダ４６（図４）やそれぞれ供給される出発素材の１つの素材コードをその都度ピックアップする関連する読み出し部４７等の手段が、各製造ユニットに対して設けられている。リール２５（図４）に供給される出発素材の素材コードは、例えばリール２５に割り当てられたトランスポンダ４６に格納される。上記製造ユニットまたは各製造ユニットには、制御装置３３によりなされるその制御の下で、機械制御部３５（図１参照）が割り当てられ、上記素材コードが読み出される。製造ユニットが、それぞれに供給された出発素材の素材コードをピックアップした場合、製品の切り替え中に選択されたパラメータの組６２に一致するコード６５が含まれているか否かに関してチェックされる。少なくとも１つの素材コードの場合、パラメータの選択された組６２に一致するコード６５が見つからない場合、エラー信号が生成され、これが、例えば制御装置３３に割り当てられたスクリーンに出力される。ピックアップされた素材コードとパラメータの組６２のコード６５は、例えばそれらが完全に、または所定数の有効ビットに関して対応している場合、一致する。別法として、または、各製造ユニットに、例えば素材コンベヤ２６（図１）によって、パラメータの選択された組６２に対応する適切な出発素材を自動的に供給することも実現できる。このために、貯蔵エリア２４（図１）に供給された出発素材の素材コードが読み出され、コード６５に一致する素材コードを有する出発素材の配置時に、該出発素材は、貯蔵エリア２４から移動されて、各製造ユニットへ送給される。上記必要な出発素材または各必要な出発素材を、少なくとも１つの製造ユニットへ送給することができない場合には、エラー信号が生成される。
【００２４】
素材コードに一致するパラメータの選択された組６２からのコード６５の決定時に、決定されたコード６５またはピンクアップされた素材コードと関連付けられている、上記製造ユニットの各調節可能なメカニズムを調節する処理変数が、各製造ユニットへ転送される。ここで、該処理変数または各処理変数は、パラメータの選択された組６２から、またはデータベース６６から採用され、各処理変数へのアクセスは、決定されたコード６５またはピックアップされた素材コードによって、インデックス等のように可能である。
【００２５】
製造プロセス中に連続的な基準で、少なくとも、パラメータの選択された組６２のデータによる上記調節可能なメカニズムの調節の前、すなわち、製造切り替え中に、素材指定データ６８、例えば消耗または拒否あるいは混乱割り当てが、どの素材が該製造プロセスに最も適しているかを検知するために、コード６５または素材コードによって、製造データ取得手段６７にファイルされる。この素材指定データ６８は、インデックスのようにパラメータの組６１、６２ににも使用される同じコード６５が適切な場合、コード６５によってアクセスされる。各素材指定データ６８は、フロッピーディスクの形で、絵柄シンボルとして存在する。製造データ取得６７は、特に、異なる製品の場合、すなわち、例えば異なるタイプのシガレットパック４８の場合、別々に行われる。データベース６６の（またはパラメータの選択された組６２の）データによる上記調節可能なメカニズムの調節の前に、上記製造ユニットまたは各製造ユニットおよび／または上記調節可能なメカニズムまたは各調節可能なメカニズムのそれまでの有効設定値が、後の可能性のある再使用のために蓄積される。このようにして蓄積される設定値は、蓄積された上記処理変数からも外れる可能性があり、適切な場合、該設定値が操作者によって実行された調節に基づいている場合には、それらを置き換えることもできる。従って、最新の有効設定値が、該製造シーケンスを改善したか否かを選択することが可能である。この場合、データベース６６の関連する処理変数は、それに応じて変更される。このことは、発展的な方法での該製造シーケンスの連続的な改善を可能にする。このようにして蓄積されたデータは、例えばすでに説明してきたように、ＣＣＤカメラ５４の調節に関連するデータを含む。製品の切り替えの前の上記最新の有効設定値の蓄積は、各機械制御部３５に割り当てられたデータの組７３によって説明される。データの組７３は、シガレットパック４８等の上記第１のタイプの製品を製造する調節可能なメカニズムの調節に関連するデータを含み、該データは、該製品の切り替え（破線のシガレットパック４８からデータの組７３までの矢印）まで該製造プロセスにおいて使用される。後の再使用の場合、個々のデータまたは全てのデータは、例えばオペレータによる選択に従って、データベース６６に受け入れられる。
【００２６】
カムプレート５７（図７も参照）、光センサの形態の光障壁５０（図６も参照）、密封メカニズムの形態のヒータ５１（図６も参照）および包装フィルム６４の変化可能な長さは、それぞれデータベース６６においてコード６５または素材コードに関連付けられている処理変数を描写するために図示されている。１つまたはそれ以上のコード６５は、単一の処理変数と関連付けることができる。従って、単一の出発素材は、複数の調節可能なメカニズムの調節を必要とする、あるいは、多数の適格な出発素材は、その都度、同じ調節可能なメカニズムの個別の調節を必要とするという事実を考慮することが可能である。
【００２７】
その都度決定された上記処理変数または各処理変数は、データベース６６（またはパラメータの選択された組６２）からそれぞれの機能ユニットまたは機械制御部３５へ転送されて、移動可能な調節可能なメカニズムの場合、例えば基準位置に対する相対位置の変化を引き起こす。上記ラベル装置の場合、該処理変数の転送は、例えばフィルム包装機１２のカムプレート５７の回転オフセットに影響を及ぼす。また、該処理変数の転送は、例えばフィルム包装機１２の、光センサの形態の光障壁５０により供給されたデータの適切な評価、およびフィルム包装機１２の密シールメカニズムのヒータ５１の温度の調節を生じさせる。そして、該処理変数の転送は、例えば包装フィルム６４からフィルムブランクを切断するための切断長さの調節を生じさせる。
【００２８】
データベース６６は、選択されたまたは供給された出発素材の各コード６５によってアクセスされる。データベース６６は、本質的に、上記メモリ内で、多数のフィールド要素を有する、以後、製造タイプに関連するパラメータの組７４と呼ぶ、フィールドとして実現される。製造タイプに関連するパラメータの各組７４は、製品、例えばシガレットパック４８に対応し、また、多数のフィールド要素を有するフィールドとして、カラム７５が個々の出発素材または機械構成に割り当てられ、列７６が、各処理変数に割り当てられるマトリックスを含む。出発素材が処理変数の影響、すなわち、調節可能なメカニズムの調節を必要とする場合、該出発素材のコード６５は、各カラム７５および列７６に割り当てられたフィールドに入れられる。適格で、かつ適切であると認識された出発素材のコード６５がデータベース６６に転送されると、対応するコード６５が、データベース６６において検索される。コード６５がデータベース６６で見つかった場合、すでに見つかっているコード６５がそれに対して割り当てられる上記フィールド要素の上記処理変数または各処理変数は、該調節可能なメカニズムまたは各調節可能なメカニズムの調節のために、コード６５によって同様に識別することができる機能ユニット、あるいは、この機能ユニットの機械制御部３５に転送される。ブランク３７、３８の場合、製品タイプに関連するパラメータの組７４は、例えば上記シガレットボックスを折畳む折畳みメカニズムを調節するための処理変数および／または必要な接着パターンを塗布する接着ノズルを調節するための処理変数を含む。包装フィルム６４の場合、製品タイプに関連するパラメータの組７４は、例えば包装フィルム６４上のプリントマークを検知する光障壁５０（図６参照）等の光センサを調節するための処理変数を含む。
【００２９】
図１０は、図９ｂからの製品タイプに関連するパラメータの組７４を示す。図は、ある製品、シガレットパック４８に関連するパラメータの組を示し、調節可能なメカニズムを調節するためのパラメータ、すなわち処理変数を含む。該処理変数は、単に、調節可能なメカニズムによって示されている。製品タイプに関連するパラメータの組７４も、個々の出発素材間の依存状態を考慮することを可能にする。例えば包装フィルム６４に対して、例えば１６０℃の温度が、上記シールメカニズムのヒータ５１のための処理変数として予め定められている場合、この温度は、高レベルの熱伝導性を有するコーティングを有するブランク３７の場合、素材端部を確実にシールするのには不十分である可能性がある。ブランク３７と包装フィルム６４との間には依存性があり、製品タイプに関連するパラメータの組７４の対応するデータにより、該依存性が考慮される。そして製品タイプに関連するパラメータの組７４は、ヒータ５１のための処理変数として、例えばそれによって包装フィルム６４を、特殊なブランク３７と共にでも確実にシールすることができる、例えば１６５℃の温度を含む。状況は、ブランク３７および該ブランクに施されるラベル５３に関して同様である。あるブランク３７およびあるラベル５３の場合、このラベル５３が、常に角度をわたって配置されていることを実現できる。そして製品タイプに関連するパラメータの組７４は、出発素材のこの組合せに対して、ラベルを角部をわたって配置するためのカムプレート５７を調節するための処理変数を含む。１つの出発素材に依存する処理変数、例えば光障壁５０を調節するための処理変数の場合、パラメータの該組は、対応する列７６に各出発素材のコードを含む。
【００３０】
上記製品タイプに関連するパラメータの組７４または製品タイプに関連するパラメータの各組７４は、上記ラインの稼働中に、拡大または更新することができる。パラメータの組を拡大する場合、個々の出発素材の、または複数の出発素材の追加コードがピックアップされ、該出発素材に割り当てられた処理変数を有する別の列７６が、該プロセスにおいて生成される。更新の場合、現在ある列７６の場合には、該処理変数は、上記ラインの稼働中に決定されたより有利な値に適応される。製品タイプに関連するパラメータの組７４の拡大または更新の操作は、ユーザに対して容易である。すなわち、ユーザ、ラインオペレータは、例えば現在の製造からのデータを受け取るボタンまたはキーを作動させる。そして、関連する製品タイプに関連するパラメータの組７４は、それぞれ出来上がった製品に関連して、すなわち、例えば出来上がったシガレットパック４８に関連して決められる。パラメータのこの組は、使用される各出発素材のための適切なコード６４に対して検索され、見つかったコード６４の場合、それぞれ関連する処理変数が更新される。出発素材のコードが見つからない場合には、新たな列７６がこの列７６内に生成されて、該出発素材のコード６４が、各出発素材のカラム７５に入れられる。関連する処理変数は、同じ列７６に入れられる。さまざまな処理変数のうちのどれが製品タイプに関連するパラメータの組７４におけるコード６４に対して入れられるかを確定するために、処理変数が依存する出発素材が、各処理変数に対して蓄積される。複数の出発素材への依存性は、図において、“○＋”のシンボルで示してある。光障壁５０を調節するための処理変数は、使用される包装フィルム６４のみに依存する。ヒータ５１を調節するための処理変数は、包装フィルム６４とブランク３７の組合せに依存し、またカムプレート５７を調節するための処理変数は、ブランク３７とラベル５３の組合せに依存する。
【００３１】
出発素材に加えて、調節可能なメカニズムの調節に同様に影響を及ぼすことができる、機械の設定に対する少なくとも１つのカラム７５が、製品タイプに関連するパラメータの組７４に設けられる。そのような機械の設定の実施形態は、包装フィルム６４を切断する切断装置に対する調節曲線７７である。該機械の設定を示す機械の設定値７８は、適当なカラムに入れられる。数値“０６”は、摩耗を考慮した上記切断装置の再調節の６番目の段階を示す。機械の設定値７８を有する列７６は、包装フィルム６４およびブランク３７の使用が、列７６で指定されたコード６５と共に実行されたとき、および上記切断装置が、機械の設定値７８として指定された再調節の段階にあるときに使用される。そして、個々のフィルムブランクの長さに影響を及ぼす処理変数は、機械制御部３５に出力される。製品タイプに関連するパラメータの組７４を、そのような機械の設定に関連して拡大または拡充することも可能である。すなわち、上記切断装置が、第３の再調節の段階にあり、かつオペレータが、現在のデータを受け取って製品タイプに関連するパラメータの組を検索した際に、別の列７６が生成され、この別の列は、包装フィルム６４およびブランク３７のコード６５と、機械の設定値７８としての数値“０３”と、該フィルムブランクの長さの条件のための現在の処理変数とを含む。
【００３２】
パラメータの組６１、６２、データベース６６および製造データ取得６７は、例えば制御装置３３のメモリに格納することができる。別法として、パラメータの組６１、６２、データベース６６および製造データ取得６７は、分散型データ処理方式で、すなわち、例えば各機械制御部のメモリに格納することも可能である。これは、適切な場合、中央制御装置の形態の制御装置３３を不必要なものにし、その結果、各製造ユニットを、専用の分散化した機械制御部３５によって制御することができる。また、各機械制御部３５のための調節可能なメカニズムを調節するためのパラメータの個々の最適化を有することも可能である。
【００３３】
参照符号一覧
１０…メーカー、１１…パッカー、１２…フィルム包装機、１３…マルチパッカー、１４…カートナー、１５…シガレットコンベヤ、１６…シガレット貯蔵部、１７…ブランク貯蔵部、１８…パックコンベヤ、１９…マルチパックコンベヤ、２０…輸送カートン、２１…取り出しコンベヤ、２２…パック貯蔵部、２３…フィルタ取り付け機、２４…貯蔵エリア、２５…リール、２６…素材コンベヤ、２７…移送経路、２８…フィルター取り付け紙、２９…カラー素材、３０…内側連続素材、３１…フィルム素材、３２…シガレット紙、３３…制御装置、３４…フィールドバス、３５…機械制御部、３７…ブランク、３８…ブランク、３９…接着エリア、４０…蓋の内側タブ(長)、４１…蓋の内側タブ(短)、４２…スピンドル、４３…プレート、４４…スタブ、４５…リールコア、４６…トランスポンダ、４７…読み出し部、４８…シガレットパック、４９…セロファンウエブ、５０…光障壁、５１…第１ヒータ、５２…第２ヒータ、５３…ラベル、５４…ＣＣＤカメラ、５５…ラベル貯蔵部、５６…サーボモータ、５７…カムプレート、５８…押圧ディスク、５９…移送ベルト、６０…連行部材、６１…パラメータの第１の組、６２…パラメータの第２の組、６３…記憶領域、６４…包装フィルム、６５…コード、６６…データベース、６７…製造データ取得(手段)、６８…データ、６９…カラム、７０…カラム、７１…カラム、７２…カラム、７３…データの組、７４…製造タイプに関連するパラメータの組、７５…カラム、７６…列、７７…調節曲線、７８…機械の設定値、
【図面の簡単な説明】
【００３４】
【図１】シガレット用製造および梱包設備の概略平面図。
【図２】パッカーを示す図。
【図３】ブランクを示す図。
【図４】トランスポンダを有するリールと、異なる位置に設けられた関連する読み出し部を示す図。
【図５】フィルム包装機を示す図。
【図６】フィルム包装機の中央領域を示す図。
【図７】フィルム包装機の細部としてのラベル装置を示す図。
【図８】ラベルをその上に配置した状態のシガレットパックを示す図。
【図９ａ】第１のタイプの製品と第２のタイプの製品との関係および調節可能なメカニズムを調節するデータの使用において、第１のタイプの製品から第２のタイプの製品への切り替え中に使用されるデータの概略説明図。
【図９ｂ】第１のタイプの製品と第２のタイプの製品との関係および調節可能なメカニズムを調節するデータの使用において、第１のタイプの製品から第２のタイプの製品への切り替え中に使用されるデータの概略説明図。
【図１０】製造タイプに関連するパラメータの組を示す図。
【図１】
2005518998.tif 000003
【図２】
2005518998.tif 000004
【図３】
2005518998.tif 000005
【図４】
2005518998.tif 000006
【図５】
2005518998.tif 000007
【図６】
2005518998.tif 000008
【図７】
2005518998.tif 000009
【図８】
2005518998.tif 000010
【図９ａ】
2005518998.tif 000011
【図９ｂ】
2005518998.tif 000012
【図１０】
2005518998.tif 000013
【国際調査報告】
2005518998.tif 000014
2005518998.tif 000015
2005518998.tif 000016
2005518998.tif 000017